(57)【特許請求の範囲】
【請求項１】
リヤフェンダにリヤコンビネーションランプが設けられている車体後部構造であって、
前記リヤフェンダに車両側面視で円弧状の背面が形成され、
前記リヤコンビネーションランプは、車両側面視で前記リヤフェンダの背面に沿う円弧状に前記背面から突出するとともに、車幅方向に幅狭のフィン状に形成されている車体後部構造。
【請求項２】
前記リヤコンビネーションランプの上端はウエストラインよりも上方に配置されている請求項１記載の車体後部構造。
【請求項３】
前記リヤコンビネーションランプは前記リヤフェンダの背面に車幅方向に複数並設されている請求項１又は２記載の車体後部構造。
【請求項４】
前記リヤコンビネーションランプの光源はＬＥＤランプで構成されている請求項１〜３のいずれか一つに記載の車体後部構造。
【発明の詳細な説明】
【技術分野】
【０００１】
本発明は、
リヤフェンダにリヤコンビネーションランプが設けられている車体後部構造に関する。
【背景技術】
【０００２】
車両が走行中に車体に受ける走行風は、車体側面に沿って流れた後、車体後部で車体後面に巻き込まれる流れとなることが多い。このような流れになると、走行風が車両後方の気圧を下げ、車体を後方に引っ張る要因となる。
この問題に対して、例えば特許文献１に開示されているように、車両前後方向へ直線状に延出されたリヤフェンダ本体と、リヤフェンダ本体の後端から車内側へ湾曲されて車体の後側角部を構成する湾曲部とをリヤフェンダに設け、車両の前方から流れてきた走行風を当てて剥離させる突出部を前記湾曲部の外面に設け、突出部の前端縁を斜め後ろ下方に延出させた構造があった。
上記従来の技術によれば、剥離した走行風の下縁を前記突出部によって斜め後ろ下方に向かわせることができ、このように斜め後ろ下方に向かう走行風と、リヤホイールハウスの前半で剥離して後方に流れる乱れた走行風との相乗効果により、前記突出部で剥離した走行風を後方へ逃がして車体後面への走行風の巻き込みを防止することができる。
【先行技術文献】
【特許文献】
【０００３】
【特許文献１】特許第４３２１０６３号公報
【発明の概要】
【発明が解決しようとする課題】
【０００４】
しかしながら、上記従来の構造の様にリヤフェンダパネルに突出部を設けた構造ではデザイン的な制約が多く、デザインの自由度を上げることが困難であり、上記従来の構造は、車体側面から車体後面に向かって連続した滑らかなつながりを持つ丸い形状のデザインには適していなかった。
本発明は上記実状に鑑みて成されたもので、その目的は、車体後面への走行風の巻き込みを防止できる構造でありながら、デザインの自由度を上げることができ、車体側面から車体後面に向かって連続した滑らかなつながりを持つ丸い形状のデザインにも適用できる車体後部構造を提供する点にある。
【課題を解決するための手段】
【０００５】
本発明の特徴は、
リヤフェンダにリヤコンビネーションランプが設けられている車体後部構造であって、
前記リヤフェンダに車両側面視で円弧状の背面が形成され、
前記リヤコンビネーションランプは、車両側面視で前記リヤフェンダの背面に沿う円弧状に前記背面から突出するとともに、車幅方向に幅狭のフィン状に形成されている点にある。（請求項１）
【０００６】
前方から車両側面に沿って流れる走行風は、リヤバンパとリヤドアとの間のリヤフェンダのゆるやかな曲面の外面上では、流れが剥離することなく車体後面に回り込もうとする。
しかし、本発明の上記構成によれば、前記リヤフェンダに車両側面視で円弧状の背面が形成され、前記リヤコンビネーションランプは、車両側面視で前記リヤフェンダの背面に沿う円弧状に前記背面から突出しているから、車体後面に回り込もうとする走行風にリヤコンビネーションランプの側面が立ちはだかり、走行風が車体後面に回り込むのを阻止することができる。
また、リヤコンビネーションランプは車幅方向に幅狭のフィン状に形成されているから、リヤコンビネーションランプがリヤフェンダの背面に沿って線状に延びた状態になり、リヤフェンダの曲面状の背面の流れるイメージがリヤコンビネーションランプで分断・阻害されるのを防ぐことができる。
つまり、車体側面から車体後面に向かって連続した滑らかなつながりを持つ丸い形状のデザインにも本発明の上記構成を適用することができる。（請求項１）
【０００７】
本発明において、
前記リヤコンビネーションランプの上端はウエストラインよりも上方に配置されていると、次の作用を奏することができる。（請求項２）
【０００８】
前記リヤコンビネーションランプの上端はウエストラインよりも上方に配置されているから、ウエストラインを乗り越えた走行風が車体後面に巻き込まれることをリヤコンビネーションランプで確実に阻止することができる。（請求項２）
【０００９】
本発明において、
前記リヤコンビネーションランプは前記リヤフェンダの背面に車幅方向に複数並設されていると、次の作用を奏することができる。（請求項３）
【００１０】
車幅方向外側のリヤコンビネーションランプを乗り越えて車体後面側に入り込もうとする走行風を、車幅方向内側のリヤコンビネーションランプで阻止することができる。
また、リヤコンビネーションランプが複数設けられていることで、リヤコンビネーションランプを幅狭のフィン状にしたにもかかわらず、必要な光量を確保することができる。（請求項３）
【００１１】
本発明において、
前記リヤコンビネーションランプの光源はＬＥＤランプで構成されていると、次の作用を奏することができる。（請求項４）
【００１２】
前記リヤコンビネーションランプの光源はＬＥＤランプで構成されているから、リヤコンビネーションランプ内の幅狭のスペースに光源の配置が可能となり、光量の増加も可能となる。
言い換えれば、リヤコンビネーションランプの光源がＬＥＤランプで構成されていることで、リヤコンビネーションランプの幅を薄くできて、リヤコンビネーションランプの曲面状の背面の流れに沿った線状に形成することができ、デザインの流れるような丸みを帯びた意匠を保つことができる。（請求項４）
【発明の効果】
【００１３】
本発明によれば、
車体後面への走行風の巻き込みを防止できる構造でありながら、デザインの自由度を上げることができ、車体側面から車体後面に向かって連続した滑らかなつながりを持つ丸い形状のデザインにも適用できる車体後部構造を提供することができた。
【図面の簡単な説明】
【００１４】
【図１】右斜め後方から見た自動車の斜視図
【図２】車体後部の側面図
【図３】車体後部の平面図
【図４】車体後部の後面図
【図５】車両側面に沿って流れた走行風が車体後面に流れ込むのをリヤコンビネーションランプにより阻止している様子を示す平面図
【図６】走行風の流れを示す斜視図
【発明を実施するための形態】
【００１５】
以下、本発明の車体後部構造の実施の形態を図面に基づいて説明する。
本発明の車体後部構造は左右対称であり、本実施形態及び別実施形態では、右側の車体後部構造を例に挙げて説明し、左側の車体後部構造については説明を省略する。
【００１６】
図１に示すように、ホイールハウスを形成するリヤフェンダ１が自動車のリヤドア２とリヤバンパ３の間に配置され、リヤコンビネーションランプ４がリヤフェンダ１に設けられている。リヤフェンダ１の下部は後輪５の上部を側方（車幅方向外側Ｗ２、図３，図４参照）から覆っている。
【００１７】
前記自動車の車体側面には、フロントドア６からリヤドア２にかけて車両前後方向に略直線状のウエストラインＬ１が形成され、リヤフェンダ１の領域において、ウエストラインＬ１に連続する後ろ側ラインＬ２がホイールハウスの開口に沿って大きく円弧を描いて下方に延びている。そして、後ろ側ラインＬ２がリヤバンパ３の側面と後面との境の角部の縦ラインＬ３の上端に接続している。
【００１８】
図２〜図４にも示すように、前記ホイールハウスの開口とバックドア７の側縁との間のリヤフェンダ１の外面（表面）は、縦断正面視（あるいは縦断後面視）で車幅方向内側Ｗ１ほど上方に位置する円弧状に形成されて、車幅方向中央に向けて次第に盛り上がる滑らかな曲面に形成されている。また、前記リヤフェンダ１の外面は縦断側面視で円弧状に形成され、下方のリヤバンパ３の後面に滑らかに接続している。
【００１９】
これにより、リヤフェンダ１に車両側面視で円弧状の背面８が形成されている。このような形状の特徴を車体後部に持たせることにより、リヤフェンダ１の側面１２と背面８が連続して丸みを帯びた車体後部デザイン形状を形成している。
【００２０】
前記リヤコンビネーションランプ４は、リヤフェンダ１の背面８に車幅方向に複数（本実施形態では一対）並設され、車両側面視でリヤフェンダ１の背面８に沿う円弧状に前記背面８から突出するとともに、車幅方向に幅狭のフィン状に形成され、縦断面において上窄まりの縦長の円弧状に形成されている。その結果、リヤフェンダ１が、ウエストラインＬ１に連続する前記後ろ側ラインＬ２と類似のイメージとなっている。
【００２１】
図３，図４に示すように、前記複数のリヤコンビネーションランプ４は、車両後方側Ｒｒほど車幅方向内側Ｗ１に位置するように傾斜している。また、図２に示すように、リヤコンビネーションランプ４の上端４ＪはウエストラインＬ１よりも上方に配置され、車幅方向内側Ｗ１のリヤコンビネーションランプ４の頂面４Ｔ１は、車幅方向外側Ｗ２のリヤコンビネーションランプ４の頂面４Ｔ２よりも前記背面８の径方向外方側に位置している。リヤコンビネーションランプ４の光源はバルブランプではなくＬＥＤランプで構成されている。
【００２２】
前記リヤコンビネーションランプ４の長手方向両端部４Ａ，４Ｂの頂面４Ｔ１，４Ｔ２はリヤフェンダ１の背面８に滑らかに接続している。符号４Ｃはリヤコンビネーションランプ４の長手方向中間部である。
【００２３】
そして、図３に示すように、平面視においてリヤコンビネーションランプ４の車両前方側Ｆｒの端部４Ａは、車両前方側Ｆｒに向かって円弧状に窄まり、リヤコンビネーションランプ４の車両後方側Ｒｒの端部４Ｂは、車両後方側Ｒｒに向かって円弧状に窄まっている。
【００２４】
さらに、平面視において、リヤコンビネーションランプ４の車両後方側Ｒｒの端部４Ｂの後端４Ｂ１は、リヤコンビネーションランプ４の車幅方向内側Ｗ１の側縁４Ｄ１と車幅方向外側Ｗ２の側縁４Ｄ２とのうち、車幅方向内側Ｗ１の側縁４Ｄ１側に位置する。そして、前記車幅方向外側Ｗ２の側縁４Ｄ２の後端部は前端部よりも大きな曲率半径の円弧状に形成されて前記後端４Ｂ１に接続している。
【００２５】
これにより、車両前方側Ｆｒから車両側面に沿って流れてきて車体後面に回り込もうとする走行風を、リヤコンビネーションランプ４の車幅方向外側Ｗ２の側面によって、より円滑に車両後方側Ｒｒに流すことができる。
【００２６】
前記リヤフェンダ１の領域にはブレーキランプ、ハザードランプなどのランプ類を配置しなければならず、これらのランプの形状によっては、連続した丸みを帯びた車体後部デザイン形状の特徴を損なう虞がある。そのため、なるべく車体形状に沿って滑らかな曲面を持たせた形状にする必要がある。その一方、リヤフェンダ１及びリヤコンビネーションランプ４の形状によっては、前記リヤフェンダ１の領域は車体側面に沿って流れてきた走行風が、速度を増した状態で車体後面に巻き込まれ、車体後部の圧力を低下させて車体を後方に引っ張る力を発生させやすい。
【００２７】
これに対して本発明の上記の構成によれば、次の作用効果を奏することができる。
（１）  図６に示すように、前方から車両側面に沿って流れる走行風（図６に多数の細線Ｘで示してある）はリヤバンパ３に近い下側ではウエストラインＬ１に連続した後ろ側ラインＬ２で剥離しているが、リヤバンパ３とリヤドア２との間のリヤフェンダ１のゆるやかな曲面の背面８上（図６のＺの範囲）では、リヤフェンダ１に滑らかな丸みを持たせたデザインの為、走行風が剥離することなくウエストラインＬ１を越えて、車体後面に回り込もうとする。しかし、この回り込もうとした走行風に略垂直にリヤコンビネーションランプ４の側面が立ちはだかり、走行風が車体後面に回り込むのを阻止することができる。
図５に示すように、リヤコンビネーションランプ４により走行風（図５に細線Ｘで示してある）の車体後面への回り込みが阻止されて、走行風が後方に向かっている様子を確認することができる。
また、リヤコンビネーションランプ４は車幅方向に幅狭のフィン状に形成されているから、リヤコンビネーションランプ４がリヤフェンダ１の背面８に沿って線状に延びた状態になり、リヤフェンダ１の曲面状の背面８の流れるイメージがリヤコンビネーションランプ４で分断・阻害されるのを防ぐことができる。
つまり、車体側面から車体後面に向かって連続した滑らかなつながりを持つ丸い形状のデザインにも本発明の上記構成を適用することができる。
【００２８】
（２）  前記リヤコンビネーションランプ４の上端４ＪはウエストラインＬ１よりも上方に配置されているから、ウエストラインＬ１を乗り越えた走行風が車体後面に巻き込まれることをリヤコンビネーションランプ４で確実に阻止することができる。
【００２９】
（３）  前記リヤコンビネーションランプ４はリヤフェンダ１の背面８に車幅方向に複数並設されているから、車幅方向外側Ｗ２のリヤコンビネーションランプ４を乗り越えて車体後面側に入り込もうとする走行風を、車幅方向内側Ｗ１のリヤコンビネーションランプ４で阻止することができる。
そして、車幅方向内側Ｗ１のリヤコンビネーションランプ４の頂面４Ｔ１が、車幅方向外側Ｗ２のリヤコンビネーションランプ４の頂面４Ｔ２よりも前記背面８の径方向外方側に位置しているから、前記走行風を、車幅方向内側Ｗ１のリヤコンビネーションランプ４でより確実に阻止することができる。
また、リヤコンビネーションランプ４が複数設けられていることで、リヤコンビネーションランプ４を幅狭のフィン状にしたにもかかわらず、必要な光量を確保することができる。
【００３０】
（４）  前記リヤコンビネーションランプ４の光源はＬＥＤランプで構成されているから、リヤコンビネーションランプ４内の幅狭のスペースに光源の配置が可能となり、光量の増加も可能となる。
言い換えれば、リヤコンビネーションランプ４の光源がＬＥＤランプで構成されていることで、リヤコンビネーションランプ４の幅みを薄くできて、リヤコンビネーションランプ４の曲面状の背面８の流れに沿った線状に形成することができ、デザインの流れるような丸みを帯びた意匠を保つことができる。
【００３１】
［別実施形態］
前記リヤコンビネーションランプ４は２個に限らず、３個以上のリヤコンビネーションランプ４がリヤフェンダ１の背面８に車幅方向に並設されていてもよい。
【符号の説明】
【００３２】
１          リヤフェンダ
４          リヤコンビネーションランプ
４Ｊ        リヤコンビネーションランプの上端
８          リヤフェンダの背面
Ｌ１        ウエストライン
【図１】
0005704403.tif 000002
【図２】
0005704403.tif 000003
【図３】
0005704403.tif 000004
【図４】
0005704403.tif 000005
【図５】
0005704403.tif 000006
【図６】
0005704403.tif 000007